(57)【特許請求の範囲】
【請求項１】
筐体の開口部にヒンジ機構により取り付けられた扉をロックする扉鎖錠装置において、
前記扉の内側に取り付けられ上下に動作することにより、前記筐体に係止して前記扉をロック状態にするかまたは、前記筐体から離れて前記扉を開閉可能な状態にするリンク棒と、
前記扉の内側に、前記扉の面に対して垂直状に取り付けられたネジ部と、
前記リンク棒を貫通させて保持し、この貫通されたリンク棒が前記筐体に係止可能な位置になるまで前記ネジ部にねじ込まれて取り付けられたリンク押さえ部材と、
を備えることを特徴とする扉鎖錠装置。
【請求項２】
前記筐体は、制御盤が収納された制御盤装置である
ことを特徴とする請求項１に記載の扉鎖錠装置。
【発明の詳細な説明】
【技術分野】
【０００１】
本発明の実施形態は、扉鎖錠装置に関する。
【背景技術】
【０００２】
従来の扉付きの制御盤装置等は、図１に示すように筐体１と扉２と有し、この扉２には開動作を規制する扉鎖錠装置が設けられている。
【０００３】
扉鎖錠装置により、扉２が筐体１にロックされている状態の横断面図を、図７（Ａ）に示す。
【０００４】
この扉鎖錠装置により扉２が閉状態にロックされているときには、扉２の内側に取り付けられたリンク棒５ａ、５ｂが筐体１の開口部の開口枠１２に係止されており、扉２の外側に取り付けられたハンドル３が回動操作されると、図７（Ｂ）に破線で示すように、ハンドル３の回動動作に連動してリンク棒５ａ、５ｂが上下方向にスライドして開口枠１２から離れ、扉２のロックが解除され開閉自在な状態になる。
【０００５】
この扉２の内側に取り付けられたリンク棒５ａ、５ｂは、ハンドル３の動きに連動して回動する止め金４の上部および下部にピン６ａ、６ｂによりそれぞれ取り付けられ、リンク棒５ａの上部およびリンク棒５ｂの下部がリンク押さえ部材９ａ、９ｂに貫通されることにより扉２に保持されている。
【先行技術文献】
【特許文献】
【０００６】
【特許文献１】実開昭６３−１２１４８２号公報
【発明の概要】
【発明が解決しようとする課題】
【０００７】
しかし、この従来の扉鎖錠装置では、扉２および筐体１の板厚や、扉枠２１の厚み等によりリンク押さえ部材９ａ、９ｂのリンク棒５ａ、５ｂを貫通させる穴の位置が異なるため、制御盤装置等の適用する扉付き筐体ごとにそれぞれ専用のリンク押さえ部材９ａ、９ｂが必要であり部品の種類が多くなるという問題があった。
【０００８】
本発明は上記事情に鑑みてなされたものであり、扉や筐体の構造に依存せず、容易に組み立て可能な扉鎖錠装置を提供することを目的とする。
【課題を解決するための手段】
【０００９】
上記目的を達成するための実施形態によれば、筐体の開口部にヒンジ機構により取り付けられた扉をロックする扉鎖錠装置は、リンク棒と、ネジ部と、リンク押さえ部材とを備えている。
【００１０】
このリンク棒は、前記扉の内側に取り付けられ上下に動作することにより、前記筐体に係止して前記扉をロック状態にするかまたは、前記筐体から離れて前記扉を開閉可能な状態にする。
【００１１】
またネジ部は、前記扉の内側に、前記扉の面に対して垂直状に取り付けられている。
【００１２】
またリンク押さえ部材は、前記リンク棒を貫通させて保持し、この貫通されたリンク棒が前記筐体に係止可能な位置になるまで前記ネジ部にねじ込まれて取り付けられている。
【図面の簡単な説明】
【００１３】
【図１】一実施形態による扉鎖錠装置を利用した制御盤装置の扉が閉じている状態を示す外観斜視図である。
【図２】一実施形態による扉鎖錠装置を利用した制御盤装置の扉が開いている状態を示す外観斜視図である。
【図３】（Ａ）は一実施形態による扉鎖錠装置のロック状態における横断面図であり、（Ｂ）は一実施形態による扉鎖錠装置のロック解除状態に移行した状態における正面図である。
【図４】（Ａ）、（Ｂ）は、一実施形態による扉鎖錠装置を利用した制御盤装置の扉枠の厚さが異なる場合の横断面図である。
【図５】一実施形態による扉鎖錠装置のリンク押さえ部材の動きを説明する横断面図の部分拡大図である。
【図６】一実施形態による扉鎖錠装置のリンク押さえ部材の動きを説明する正面図の部分拡大図である。
【図７】（Ａ）は従来の扉鎖錠装置のロック状態における横断面図であり、（Ｂ）は従来の扉鎖錠装置のロック解除状態に移行した状態における正面図である。
【発明を実施するための形態】
【００１４】
本発明の一実施形態による扉鎖錠装置を利用した制御盤装置の構成について、図１〜３を参照して説明する。図１は本実施形態による扉鎖錠装置を利用した制御盤装置の扉が閉じている状態の外観斜視図であり、図２は扉が開いている状態の外観斜視図であり、図３（Ａ）は扉鎖錠装置の横断面図であり、（Ｂ）は扉鎖錠装置の正面図である。
【００１５】
本実施形態による扉鎖錠装置を利用した制御盤装置は、開口部１１を有し、内部に制御盤が収納された筐体１と、この筐体１の開口部１１にヒンジ機構により取り付けられた扉２とを備えている。この筐体１には図３（Ａ）に示すように、開口部１１の内側に向かってＬ字形の開口枠１２が形成され、扉２には筐体１と接する内面側にＬ字形の扉枠２１が形成されている。扉２は、筐体１の開口部１１を閉状態にして固定するための扉鎖錠装置を有している。
【００１６】
この扉鎖錠装置の詳細な構成について、図３（Ａ）および（Ｂ）を参照して説明する。図３（Ａ）は本実施形態による扉鎖錠装置のロック状態における横断面図であり、図３（Ｂ）は本実施形態による扉鎖錠装置のロック解除状態に移行した状態における正面図である。
【００１７】
本実施形態による制御盤装置の扉２に設けられた扉鎖錠装置は、扉２の外面に取り付けられた回動可能なハンドル３と、扉２の内面に取り付けられハンドル３の回動に連動して動く止め金４とを有している。
【００１８】
また、この止め金４の上部にはリンク棒５ａがピン６ａにより回動自在に取り付けられ、止め金４の下部にはリンク棒５ｂがピン６ｂにより回動自在に取り付けられている。
【００１９】
さらに、扉２の内側上部には扉２の面に対して垂直状にネジ部７ａが固着されており、このネジ部７ａにリンク押さえ部材８ａが螺合されて取り付けられている。このリンク押さえ部材８ａはリンク棒５ａを貫通させて保持し、このリンク棒５ａが筐体１の開口枠１２に係止可能な位置になるまでネジ部７ａにねじ込まれて取り付けられている。
【００２０】
また同様に、扉２の内側下部には扉２の面に対して垂直状にネジ部７ｂが固着されており、このネジ部７ｂにリンク押さえ部材８ｂが螺合されて取り付けられている。このリンク押さえ部材８ｂはリンク棒５ｂを貫通させて保持し、このリンク棒５ｂが筐体１の開口枠１２に係止可能な位置になるまでネジ部７ｂにねじ込まれて取り付けられている。
【００２１】
そして扉２がロックされるときには、図３（Ａ）に示すように、リンク棒５ａが筐体１の天井側の開口枠１２に係止されるとともに、リンク棒５ｂが筐体１の床側の開口枠１２に係止されることで、扉２が閉状態で筐体１に固定された状態となる。
【００２２】
また扉２のロックが解除されるときには、扉２に取り付けられているハンドル３が回動されることにより止め金４が連動して回動され、図３（Ｂ）に示すようにリンク棒５ａがピン６ａを回転軸として回動しながらリンク押さえ部材８ａでガイドされて斜めを向いた状態となるとともに、リンク棒５ｂがピン６ｂを回転軸として回動しながらリンク押さえ部材８ｂでガイドされて斜めを向いた状態となることにより、リンク棒５ａ、５ｂの先端が筐体１の開口枠１２から離れて扉２のロックが解除され開閉可能な状態となる。
【００２３】
この扉鎖錠装置の動作について、図４〜図６を参照して説明する。図４（Ａ）は本実施形態による扉鎖錠装置の、扉枠２１の厚さが薄い場合の横断面図であり、（Ｂ）は本実施形態による扉鎖錠装置の、扉枠２１の厚さが厚い場合の制御盤装置の横断面図であり、図５は本実施形態による扉鎖錠装置のリンク押さえ部材８ｂの動きを説明する横断面図の部分拡大図であり、図６は本実施形態による扉鎖錠装置のリンク押さえ部材８ｂの動きを説明する正面図の部分拡大図である。
【００２４】
本実施形態による扉鎖錠装置においては、リンク押さえ部材８ａ、８ｂがそれぞれネジ部７ａ、７ｂに螺合されることで取り付けられているため、扉２や筐体１の板厚が異なる制御盤装置、また図４（Ａ）と（Ｂ）とのように扉２の扉枠２１の厚さが異なる制御盤装置においてもリンク押さえ部材８ａ、８ｂのネジ部７ａ、７ｂへのねじ込み具合を調整することにより、図５の矢印Ｘで示す横方向に容易に位置を変えてリンク棒５ａ、５ｂを保持することができる。
【００２５】
例えば、扉２や筐体１の厚さが薄い場合や、扉２の扉枠２１の厚さが薄い場合には、図４（Ａ）に示すようにリンク押さえ部材８ａ、８ｂがネジ穴８１の奥までネジ部７ａ、７ｂにねじ込まれ、扉２や筐体１の厚さが厚い場合や、扉２の扉枠２１の厚さが厚い場合には、図４（Ｂ）に示すようにリンク押さえ部材８ａ、８ｂのネジ穴８１がネジ部７ａ、７ｂに完全にねじ込まれず空間８２が形成された状態で取り付けられることで、扉２が閉状態でロックされるときにリンク棒５ａ、５ｂが開口枠１２に係止可能になる。
【００２６】
ここで、このリンク押さえ部材８ａ、８ｂがネジ部７ａ、７ｂに完全にねじ込んで固定されていないときには、ネジ部７ａ、７ｂに対してリンク押さえ部材８ａ、８ｂが回動自在な状態であるため、ハンドル３が回動されたことにより止め金４が回動されリンク棒５ａ、５ｂが斜めに向いた状態となるときに、リンク棒５ａ、５ｂの向きの変動に追従してリンク押さえ部材８ａ、８ｂの向きも図５および図６の矢印Ｙ方向に変動し、より柔軟にハンドル３を回動させることができる。
【００２７】
またリンク押さえ部材８ａ、８ｂにはリンク棒５ａ、５ｂが貫通されているため、ネジ部７ａ、７ｂに回動自在な状態で螺合されていてもリンク押さえ部材８ａ、８ｂがゆるんでネジ部７ａ、７ｂから離脱することがなく、長期間安定して使用することができる。
【００２８】
以上の本実施形態によれば、扉の板厚や筐体の板厚に依存せず、簡易な構成で容易に組み立て可能な扉鎖錠装置を提供することができる。
【００２９】
本実施形態による扉鎖錠装置に利用するリンク棒の形状は限定されず、例えば断面が丸状の場合でも平形状の場合でも、これらの形状に合わせてリンク押さえ部材の穴を形成すれば適用可能である。
【００３０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３１】
１…筐体
２…扉
３…ハンドル
４…止め金
５ａ、５ｂ…リンク棒
６ａ、６ｂ…ピン
７ａ、７ｂ…ネジ部
８ａ、８ｂ…リンク押さえ部材
９ａ、９ｂ…リンク押さえ部材
１１…開口部
１２…開口枠
２１…扉枠
８１…ネジ穴
８２…空間部
【図１】
0005468500.tif 000002
【図２】
0005468500.tif 000003
【図３】
0005468500.tif 000004
【図４】
0005468500.tif 000005
【図５】
0005468500.tif 000006
【図６】
0005468500.tif 000007
【図７】
0005468500.tif 000008